(57)【要約】【課題】  靴下が見えにくい状態を確保しつつ、靴下をずれにくくして、使用感に優れると共に、製造も通常の靴下同様に丸編機で無理なく行える靴下を提供する。【解決手段】  靴下をなす爪先部１１と踵部１２との間、及び、踵部１２と身部１３との間に、それぞれ足連結部１４と足首連結部１５を配設し、踵部１２を挟む足連結部１４と足首連結部１５がそれぞれ非筒状である所定編幅の編地として編成されて、爪先部１１、足連結部１４、踵部１２、足首連結部１５、及び身部１３に囲まれ、着用状態で足首から足甲にかけての広い範囲を開放する開口部１６を生じさせることから、靴下の足甲部分が靴からはみ出して見える状態となるのを防げる一方、靴下をずらそうとする各種の力が加わっても、身部１３を脚に位置させて、靴下の足先側への不要な動きや靴下踵部のずれ下がる動き等を抑えられ、使用感の変化等の悪影響はない。【選択図】  図１
0003225731.tif 000002
【実用新案登録請求の範囲】
【請求項１】
全体を丸編機で一体に編成され、足の爪先部分を覆う爪先部、足の踵部分を覆う踵部、及び、脚の下腿部を筒状に囲む身部を少なくとも有する靴下において、
前記爪先部と踵部との間に編成され、爪先部及び踵部を一体に連結する非筒状の足連結部と、
前記踵部と身部との間に編成され、踵部及び身部を一体に連結する非筒状の足首連結部とを備え、
前記足連結部が、着用状態で足底側に位置する所定編幅の編地として、爪先部と踵部との編成の間に編成され、
前記足首連結部が、着用状態で足首後ろ側に位置する所定編幅の編地として、踵部と身部との編成の間に編成され、
前記爪先部、足連結部、踵部、足首連結部、及び身部に囲まれる所定の開口部が、着用状態で足首から足甲にかけての足前面側所定範囲を開放する配置として生じることを
特徴とする靴下。
【請求項２】
前記請求項１に記載の靴下において、
前記足首連結部が、着用状態で足前面側からは足首に隠れて見えなくなる程度の幅寸法として編成されることを
特徴とする靴下。
【請求項３】
前記請求項２に記載の靴下において、
前記足首連結部が、靴下他部位の編地とは編み方を異ならせて、コース方向により強い弾性収縮力の生じる編地として編成され、靴下他部位に対し編地がよりコース方向に縮んだ状態とされることを
特徴とする靴下。
【請求項４】
前記請求項２に記載の靴下において、
前記爪先部、足連結部、踵部、足首連結部、及び身部が、連続する少なくとも一本の共通糸を編地に含むように編成され、
前記足首連結部が、前記共通糸の伸縮性よりも大きな伸縮性を有する所定の挿入糸をコース方向に連続させつつ挿入されて編成され、靴下他部位に対し挿入糸の弾性力でよりコース方向に縮んだ状態とされることを
特徴とする靴下。
【考案の詳細な説明】
【技術分野】
【０００１】
本考案は足に装着される靴下に関する。
【背景技術】
【０００２】
ソックスやパンティストッキング等の靴下類は、一般的に、着用状態において足や脚表面を覆う状態となるが、こうした靴下類を着用した上で、足の甲が見えるような甲部の開口の大きい靴を履く際には、開口から靴下が見える状態となるため、場合によっては靴のデザインに基づく美観が損なわれることもある。
【０００３】
こうした甲部の開口の大きい靴を履く状況に対応するものとして、靴下を着用して靴を履いた場合でも、靴下を着用した状態が外部からはわかりにくい形状とされた靴下が、近年多く使用されるようになっている。
【０００４】
例えば、靴下を踝まで達しない大きさとして編成し、足甲側に履き口となる大きめの開口部を設けることで、甲部の開口が大きいパンプス等の靴を履いた場合でも、靴下が外部から見えないようにした、いわゆるフットカバー等の靴下の使用が増えている。
こうした足甲側に大きめの開口部を設けた従来の靴下の例として、特開２００３−３４２８０３号公報に記載されるものがある。
【０００５】
また、脚の下腿部に達する身部のある靴下においても、靴下の甲にあたる部分を切除して開口部分を設けることで、パンツスタイルの場合で足の甲が見えるパンプス等の靴を履いた際に、靴下の足首より下側部分の存在を外からわかりにくくすることができるものが提案されている。このような従来の靴下の例が、登録実用新案第３１１２１１５号公報に開示されている。
【先行技術文献】
【特許文献】
【０００６】
【特許文献１】特開２００３−３４２８０３号公報
【特許文献２】登録実用新案第３１１２１１５号公報
【考案の概要】
【考案が解決しようとする課題】
【０００７】
従来の靴下は、前記各特許文献に示されるように、靴下における足甲部分に広い開口部が設けられていることから、甲部の開口の大きい靴を履いた場合でも、靴の開口から靴下が見えにくく、靴のデザインに基づく美的印象を損なわないものとなっていた。
【０００８】
ただし、前記特許文献１に示される従来の足甲側の開口が大きい靴下は、その開口が大きい分、足の踝より下側に位置する開口縁部がその締め付け力で靴下をずれないよう保持する作用が十分に得られず、着用者が歩行した場合に、靴下の踵部分が足底部分を介して爪先側に引っ張られる状態となって、ずれるだけでなく、足から靴下が脱げてしまうという課題を有していた。また、こうした従来の足甲側の開口が大きい靴下では、着用者が靴を脱ぐ際に、靴下と靴との摩擦力が靴下を靴内に止めるように作用することで、靴下の踵部分が足から脱げやすいという課題を有していた。
【０００９】
この他、前記特許文献２に示される従来の靴下は、一旦編成した靴下における甲部の生地を切除して開口を生じさせ、開口周りの縁部をかがり縫い等で処理する工程を要することから、手間がかかる上、靴下製造のための材料が一部無駄になるという課題を有していた。
【００１０】
本考案は前記課題を解消するためになされたもので、靴下が見えにくい状態を確保しつつ、靴下がずれにくい状態を維持でき、使用感に優れると共に、製造も通常の靴下同様に丸編機で手間無く行える靴下を提供することを目的とする。
【課題を解決するための手段】
【００１１】
本考案に係る靴下は、全体を丸編機で一体に編成され、足の爪先部分を覆う爪先部、足の踵部分を覆う踵部、及び、脚の下腿部を筒状に囲む身部を少なくとも有する靴下において、前記爪先部と踵部との間に編成され、爪先部及び踵部を一体に連結する非筒状の足連結部と、前記踵部と身部との間に編成され、踵部及び身部を一体に連結する非筒状の足首連結部とを備え、前記足連結部が、着用状態で足底側に位置する所定編幅の編地として、爪先部と踵部との編成の間に編成され、前記足首連結部が、着用状態で足首後ろ側に位置する所定編幅の編地として、踵部と身部との編成の間に編成され、前記爪先部、足連結部、踵部、足首連結部、及び身部に囲まれる所定の開口部が、着用状態で足首から足甲にかけての足前面側所定範囲を開放する配置として生じるものである。
【００１２】
このように本考案においては、靴下をなす爪先部と踵部との間、及び、踵部と身部との間に、それぞれ足連結部と足首連結部を配設し、踵部を挟む足連結部と足首連結部がそれぞれ非筒状である所定編幅の編地として編成されて、足甲側に開口部が生じるようにされると共に、この開口部が爪先部、足連結部、踵部、足首連結部、及び身部に囲まれて、着用状態で足首から足甲にかけての広い範囲を開放することにより、靴下の足甲部分が靴からはみ出して外から見える状態となるのを防げる一方、靴下を足先側にずらそうとする力が加わっても、身部を脚に位置させて靴下の足先側への不要な動きを抑えられることとなり、靴下の着用状態を着用開始時からそのまま維持でき、使用感の変化等の悪影響もない。また、靴を脱ぐ際にも、着用した靴下の身部での保持力が、靴下をずらそうとする力に十分対抗可能であり、足に対する靴下踵部のずれや脱落を確実に防止できる。
【００１３】
加えて、例えばパンツスタイルの場合、身部はパンツの下部に隠れると共に、足首連結部は足首の後ろ側に位置して、足の前方から見ると目立たないことで、足甲開口部分の広い靴を履いた状態でも、靴下の開口部が靴より十分に広く、靴下の足首連結部と脚部以外の部位が靴から外にはみ出さないことで、靴下の存在を他者から容易には認識できなくすることが可能であり、靴下が靴を中心とした美的印象に悪影響を与えることを防止できる。
【００１４】
また、本考案に係る靴下は必要に応じて、前記足首連結部が、着用状態で足前面側からは足首に隠れて見えなくなる程度の幅寸法として編成されるものである。
【００１５】
このように本考案においては、靴下の身部と踵部との間に位置する足首連結部を、着用状態で足首背面側に収まる幅寸法として編成し、足前面側からは足首に隠れて見えなくなるようにすることにより、靴の履用状態で靴下を足においてさらに見えにくくすることができ、ずれにくさを確保しつつ、靴下の存在を他者に認識させずに着用でき、靴に基づく美的印象を靴下が損なうことはない。
【００１６】
また、本考案に係る靴下は必要に応じて、前記足首連結部が、靴下他部位の編地とは編み方を異ならせて、コース方向により強い弾性収縮力の生じる編地として編成され、靴下他部位に対し編地がよりコース方向に縮んだ状態とされるものである。
【００１７】
このように本考案においては、足首連結部を靴下他部位とは編み方を異ならせて編成し、足首連結部の編地を靴下他部位の編地に対し周方向により強い弾性収縮力の生じるものとして、靴下他部位の編地より周方向に縮んだ状態とし、足首連結部の幅寸法を小さくすることにより、確実に足首連結部を足首背面側に収まる幅寸法に抑えて、靴下を見えにくくすることができ、ずれにくさを確保しつつ、靴下の存在を他者に認識させずに着用可能となり、素足に靴を履いている印象を損なわないようにできる。
【００１８】
また、本考案に係る靴下は必要に応じて、前記爪先部、足連結部、踵部、足首連結部、及び身部が、連続する少なくとも一本の共通糸を編地に含むように編成され、前記足首連結部が、前記共通糸の伸縮性よりも大きな伸縮性を有する所定の挿入糸をコース方向に連続させつつ挿入されて編成され、靴下他部位に対し挿入糸の弾性力でよりコース方向に縮んだ状態とされるものである。
【００１９】
このように本考案においては、靴下をその各部の編地に連続する共通糸が含まれるように編成すると共に、特に足首連結部を共通糸より大きな伸縮性のある挿入糸を挿入して編成し、足首連結部を挿入糸の弾性力で靴下他部位の編地より周方向に縮んだ状態として、足首連結部の幅寸法を小さくすることにより、確実に足首連結部を足首背面側に収まる幅寸法に抑えて、靴下を見えにくくすることができ、ずれにくさを確保しつつ、靴下の存在を他者に認識させずに着用可能となり、素足に靴を履いている印象を損なわないようにできる。
【図面の簡単な説明】
【００２０】
【図１】本考案の一実施形態に係る靴下の側面図である。
【図２】本考案の一実施形態に係る靴下の製造過程における身部以外の編成に用いるシリンダ領域説明図である。
【図３】本考案の一実施形態に係る靴下の製造過程における爪先部の編成状態説明図である。
【図４】本考案の一実施形態に係る靴下の製造過程における足連結部の編成状態説明図である。
【図５】本考案の一実施形態に係る靴下の製造過程における踵部の編成状態説明図である。
【図６】本考案の一実施形態に係る靴下の製造過程における足首連結部の編成状態説明図である。
【図７】本考案の一実施形態に係る靴下の製造過程における身部の編成途中状態説明図である。
【図８】本考案の一実施形態に係る靴下の着用状態における足甲側から見た概略斜視図である。
【図９】本考案の一実施形態に係る靴下の着用状態における足裏側から見た概略斜視図である。
【考案を実施するための形態】
【００２１】
以下、本考案の一実施形態に係る靴下を前記図１ないし図９に基づいて説明する。
前記各図において本実施形態に係る靴下１は、足の爪先部分を覆う爪先部１１と、足の踵部分を覆う踵部１２と、脚の下腿部を囲む身部１３と、前記爪先部１１及び踵部１２を一体に連結する足連結部１４と、前記踵部１２及び身部１３を一体に連結する足首連結部１５とを備え、着用状態で足前面側となる所定範囲に開口部１６を設けられてなる構成である。
【００２２】
前記爪先部１１は、足の爪先部分の形状に対応した袋状に編成され、着用状態で足の爪先部分を被覆可能とされる構成である。
この爪先部１１をなす袋状編地は、丸編機のシリンダ５０の全周ではなく半周等、あらかじめ設定された一部の所定領域を利用し、シリンダ５０を正逆往復回転させる中で、目減らしと目増やしを行い、側部にゴアラインを生じさせながら編成することで、袋状に膨出する編地を得る、公知の編成方法により編成されるものである。
【００２３】
前記踵部１２は、足の踵部分の形状に対応した袋状に編成され、着用状態で足の踵部分を被覆可能とされる構成である。この踵部１２も、前記爪先部１１同様、丸編機で側部にゴアラインを生じさせながら袋状編地を編成する公知の編成方法を用いて編成される編地である。
【００２４】
前記身部１３は、脚における靴下の着用範囲に該当する下腿部の下から所定範囲の形状に対応した筒状に編成され、着用状態で脚の下腿部における前記所定範囲部分を包囲して被覆可能とされる構成である。この身部１３は、丸編機の通常の編成で得られる丸編の筒状編地である。
【００２５】
前記足連結部１４は、爪先部１１と踵部１２との間に編成され、爪先部１１及び踵部１２を一体に連結する非筒状の編地とされる構成である。この足連結部１４は、爪先部１１と踵部１２の編成の間に、着用状態で足底側に位置する配置として編成される所定編幅の編地である。
【００２６】
前記足首連結部１５は、踵部１２と身部１３との間に編成され、踵部１２及び身部１３を一体に連結する非筒状の編地とされる構成である。この足首連結部１５は、踵部１２と身部１３との編成の間に、着用状態で足首後ろ側に位置する配置として編成される所定編幅の編地である。
【００２７】
この足首連結部１５の編幅は、着用状態で足前面側からは足首に隠れて見えなくなる程度の幅寸法となるようにするのが望ましい。例えば、足首連結部１５における前記開口部１６の周りの開口縁部分が、着用状態で足の踝より後ろ側に位置するような編幅で、足首連結部１５を編成すると、着用状態で足首連結部１５が見えにくくなり、靴下を履いていないような印象を他者に与えられる。
【００２８】
前記開口部１６は、爪先部１１、足連結部１４、踵部１２、足首連結部１５、及び身部１２の連続一体編成によって、これら爪先部１１、足連結部１４、踵部１２、足首連結部１５、及び身部１３に囲まれ、且つ、着用状態で着用者の足首から足甲にかけての足前面側所定範囲を開放する配置として生じるものである。
【００２９】
次に、本実施形態に係る靴下の製造工程について説明する。前提として、靴下の編成を丸編機で行うものとする。
まず、着用者の爪先部分を収める爪先部１１を編成する（図３参照）。爪先部１１を編成する丸編機のシリンダ領域としては、丸編機におけるシリンダ５０の周方向領域のうちの半周強となる範囲のシリンダ領域Ａを用いる（図２参照）。このシリンダ領域Ａのシリンダ全周に対する割合は、着用者の足の爪先部分の幅寸法に応じて定められ、例えばシリンダ５０の半周であってもよい。
【００３０】
爪先部１１の編成は、シリンダ５０のうちシリンダ領域Ａを用い、シリンダ５０を正逆往復回転させる中で、編成の開始コースから目減らしを行いながら、爪先部１１のうちの上部である爪先上部１１ａを編成する。続いて、同じくシリンダ領域Ａを用いて、目増やしを行いながら、爪先部１１のうちの下部である爪先下部１１ｂを編成する。この編成の際、爪先下部１１ｂの両側縁において前記爪先上部１１ａの両側縁の対応する目を適宜拾いながら編成する。これによって、爪先上部１１ａの側縁と爪先下部１１ｂの側縁との境を示すゴアラインＧＬ１が形成されていく。
あらかじめ設定されたコース数の編成で、最終的に袋状の爪先部１１が得られる。
【００３１】
なお、爪先部１１の編成開始の際、開始コース直後に公知のダブルウェルト編成により端部をウェール方向に折り返したような二重編地を形成して、これを爪先部の開口部に面する口縁部とすることもでき、こうした開口部の縁と接する足先部分におけるフィット性を高められる。
この二重編地部分は、所定のサポート力を付与するため、ダブルカバードヤーンなどの適切な伸縮性を有する糸を挿入して編成するようにしてもよい。
【００３２】
爪先部１１から連続して、着用者の踵近傍までの足底領域を覆う足連結部１４を編成する（図４参照）。この場合、シリンダ５０のうち前記シリンダ領域Ａと同程度の領域を用い、シリンダ５０を正逆往復回転させて、足連結部１４を編成する。この足連結部１４の編成長さは、着用者の踵までの足底に相当する部分の長さ寸法に応じて定められる。
【００３３】
続いて、足連結部１４に連続して、着用者の踵を収容する踵部１２を編成する（図５参照）。踵部１２を編成する丸編機のシリンダ領域としては、丸編機におけるシリンダ５０の周方向領域のうちの半周強となる範囲のシリンダ領域Ｂを用いる（図２参照）。このシリンダ領域Ｂのシリンダ全周に対する割合は、着用者の踵の幅寸法に応じて定められ、例えばシリンダ５０の半周であってもよい。
【００３４】
踵部１２の編成は、シリンダ５０のうちシリンダ領域Ｂを用い、シリンダ５０を正逆往復回転させる中で、足連結部１４の終端から目減らしを行いながら、踵部１２のうちの下部である踵下部１２ａを編成する。
【００３５】
これに続いて、同じくシリンダ領域Ｂを用いて、シリンダ５０を正逆往復回転させる中、目増やしを行いながら、踵部１２のうちの上部である踵上部１２ｂを編成する。最終的に袋状の踵部１２が得られる。この編成の際、踵上部１２ｂの両側縁において前記踵下部１２ａの両側縁の対応する目を適宜拾いながら編成する。これによって、踵下部１２ａの側縁と踵上部１２ｂの側縁との境を示すゴアラインＧＬ２が形成されていく。
あらかじめ設定されたコース数の編成で、最終的に袋状の踵部１２が得られる。
【００３６】
さらに、踵部１２から連続して、着用者の足首上側までの足首後ろ側領域を覆う足首連結部１５を編成する（図６参照）。この場合、シリンダ５０のうち前記シリンダ領域Ｂと同程度の領域を用い、シリンダ５０を正逆往復回転させて、足首連結部１５を編成する。この足首連結部１５の編成長さは、着用者の足首に相当する部分の長さ寸法に応じて定められる。
【００３７】
そして、足首連結部１５に連続して、着用者の足首より上側の下腿部を囲んで被覆する身部１３を編成する（図７参照）。この身部１３を編成する場合には、丸編機におけるシリンダ５０の周方向領域の全周を用い、シリンダ５０を回転させることによって、丸編で身部１３となる筒状の編地を編成する。この身部１３の編成長さは、靴下の仕様に応じて定められる。なお、身部１３の編成にあたっては、この身部１３全体にわたり弾性糸を挿入して編成を行い、身部１３に所定の着圧が生じるようにして、この身部１３の着圧が脚の疲れ軽減に寄与する、着圧仕様の靴下を得ることもできる。
【００３８】
一方、この筒状の身部１３の編成により、これまで編成された非筒状の爪先部１１、足連結部１４、踵部１２、及び、足首連結部１５の各編地の縁部が、新たな編成で得られた身部１３の縁部により閉じた口縁として連続し、これら爪先部１１、足連結部１４、踵部１２、足首連結部１５、及び身部１３に囲まれる状態で、靴下の足首から足甲にかけての足前面側所定範囲にあたる位置に開口部１６が生じることとなる。
【００３９】
身部１３があらかじめ設定されたコース数分編成されると、その上端を所定長さ分、筒内側に折り返し、その端縁部とこれが当接する身部所定箇所とをかがり縫いで縫合することによって、二重編地の足入部１３ａを形成する。この足入部１３ａの形成によって、靴下１の製造工程は完了となる。
【００４０】
なお、身部１３の足入部１３ａとなる部分については、丸編機にて、例えばゴム編しつつゴム糸を複数コース挿入する流し込みによって編成するようにしてもよい。なお、そうした場合の、ゴム糸の有無、コース数は適宜に設定することができる。例えば、４〜１０ｍｍ程度の長さ（丈）の範囲にゴム糸を３〜１０コース程度挿入する。
【００４１】
この他、身部１３の末端部を熱融着糸で複数コース編成し、セット加工等における熱付与で熱融着糸部分を一体化して解れないようにする構成とすることもでき、編地の端処理を簡略化できる。
【００４２】
続いて、本実施形態に係る靴下の使用状態について説明する。まず、靴下１の身部１３における足入部１３ａのある開口した端部に足先を入れてそのまま足に被せていき、開口部１６を足の甲から足首前側にかけて位置するよう靴下各部を引張ると共に、爪先部１１、踵部１２をそれぞれ足の対応箇所に位置させ、足にぴったり合わせる。最終的に、身部１３を上げて脚周りに位置させると、靴下１の装着状態となる。
【００４３】
この状態では、靴下１各部分が足にフィットして密着すると共に、脚を取り囲んで密着する身部１３が、靴下１の足首より先の各部の位置を動かないよう保持する機能を有することから、歩行の際など、足の動きが大きくなる場合でも、靴下１の足を覆う部分が足に対し足先側へ大きく動くことはなく、靴下１各部分と足との位置関係が変化せず、装着感も変らない。また、靴下１の足甲から足首前側にかけての部位は開口部１６となって編地が存在せず、甲部の開口の大きい靴を履いた場合に、靴下１が靴の足甲の開口部分から表面に現れることもなく、靴の外観に基づく美的印象に対し、靴下が悪影響を与えることはない。
【００４４】
さらに、履いていた靴を脱ぐ際にも、着用している靴下１の身部１３が脚に密着して靴下の位置を保持する力を得ており、靴下と靴との摩擦等に基づいて靴下をずらそうとする力が加わっても、問題なくこれに対抗可能であり、足に対する靴下踵部１２のずれや脱落を確実に防止できる。
【００４５】
このように、本実施形態に係る靴下においては、靴下１をなす爪先部１１と踵部１２との間、及び、踵部１２と身部１３との間に、それぞれ足連結部１４と足首連結部１５を配設し、踵部１２を挟む足連結部１４と足首連結部１５がそれぞれ非筒状である所定編幅の編地として編成されて、靴下足甲側に開口部１６が生じるようにされると共に、この開口部１６が爪先部１１、足連結部１４、踵部１２、足首連結部１５、及び身部１３に囲まれて、着用状態で足首から足甲にかけての広い範囲を開放することから、靴下１の足甲部分が靴からはみ出して外から見える状態となるのを防げる一方、歩行時等で靴下１を足先側にずらそうとする力が加わっても、身部１３を脚に位置させて着圧に基づく保持力を発揮させ、靴下１の足先側への不要な動きを抑えられることとなり、靴下１の着用状態を着用開始時からそのまま維持でき、使用感の変化等の悪影響もない。
【００４６】
特に、例えばパンツスタイルの場合、身部１３はパンツの下部に隠れると共に、足首連結部１５は足首の後ろ側に位置して、足の前方から見ると目立たないことで、足甲開口部分の広い靴を履いた状態でも、靴下の開口部１６が靴より十分に広く、靴下１の足首連結部１５と身部１３以外の部位が靴から外にはみ出さないことで、靴下１の存在を他者から容易には認識できなくすることが可能であり、靴下１が靴を中心とした美的印象に悪影響を与えることを防止できる。
【００４７】
なお、前記実施形態に係る靴下においては、その製造工程で、爪先部１１から編成を開始して踵部１２を経て身部１３で編成を終えるようにしているが、これに限らず、身部１３から編成を開始し、足首連結部１５、踵部１２、足連結部１４の各編成を経て、爪先部１１で編成を終えるようにしてもよい。
【００４８】
また、前記実施形態に係る靴下においては、爪先部１１や踵部１２を、ゴアラインが単線状として生じる袋状編地として編成しているが、これに限らず、爪先部や踵部の編成に際し、ゴアラインがＹ字状など複数分岐して生じるように目減らし及び目増やしの編成を複数回繰り返して、所定の膨出形状を得る構成としてもかまわない。
【００４９】
また、前記実施形態に係る靴下において、足首連結部１５の編地を、着用状態で足前面側からは足首に隠れて見えなくなる程度の幅寸法として編成するにあたり、足首連結部１５の編地構造を靴下の他部位の編地に対し特に変更しない構成としているが、これに限られるものではなく、例えば、足首連結部を編成するにあたり、靴下他部位の編地とは編み方を異ならせて、コース方向により強い弾性収縮力の生じる編地とするようにして、靴下他部位に対し足首連結部の編地をよりコース方向に縮んだ状態とすることもできる。
【００５０】
さらに他の例として、靴下における爪先部、足連結部、踵部、足首連結部、及び身部を、連続する少なくとも一本の共通糸が編地に含まれるように編成すると共に、特に足首連結部を、前記共通糸の伸縮性よりも大きな伸縮性を有する所定の挿入糸がコース方向に連続して挿入されるようにして編成し、得られた足首連結部の編地を、靴下他部位に対し挿入糸の弾性力でよりコース方向に縮んだ状態とすることもできる。
【００５１】
こうして、足首連結部の編地を靴下他部位の編地に対しコース方向により強い弾性収縮力の生じるものとして、靴下他部位の編地よりコース方向に縮んだ状態とし、足首連結部の幅寸法を小さくすることで、確実に足首連結部を足首背面側に収まる幅寸法に抑えて、靴下を見えにくくすることができ、ずれにくさを確保しつつ、靴下の存在を他者に認識させずに着用可能となり、素足に靴を履いている印象を損なわないようにできる。
【００５２】
また、前記実施形態に係る靴下においては、足先部分を袋状編地の爪先部１１として足指をまとめて覆う構成としているが、これに限らず、靴下の足先部分を、親指を覆う親指袋部、小指を覆う小指袋部、及び残りの他の指をまとめて覆う中央袋部の三つに分割された形状とする構成としたり、親指を覆う親指袋部と他の足指をまとめて覆う指袋部との二つを有する構成としたり、各足指毎に独立して指を覆う袋状部分を有する構成とすることもできる。
【符号の説明】
【００５３】
１      靴下
１１    爪先部
１１ａ  爪先上部
１１ｂ  爪先下部
１２    踵部
１２ａ  踵下部
１２ｂ  踵上部
１３    身部
１３ａ  足入部
１４    足連結部
１５    足首連結部
１６    開口部
５０    シリンダ
【図１】
0003225731.tif 000003
【図２】
0003225731.tif 000004
【図３】
0003225731.tif 000005
【図４】
0003225731.tif 000006
【図５】
0003225731.tif 000007
【図６】
0003225731.tif 000008
【図７】
0003225731.tif 000009
【図８】
0003225731.tif 000010
【図９】
0003225731.tif 000011